(57)【要約】【課題】管路の下部に滞留する滞留物を確実に吸引して排出すること。【解決手段】吸引装置１は、吸引源６と接続され、管路Ｐ内を移動する装置本体２と、装置本体２と接続され、管路Ｐの下部内面に載置される吸引治具４とを備えている。吸引治具４は、管路Ｐの内面に接する面に吸引口２２が形成されていると共に、内部に吸引口２２と連通する吸引通路２３が形成された本体部２０と、本体部２０に設けられ、吸引通路２３と連通し、開口端が吸引口２２よりも上方に位置する少なくとも１つ以上の空気吸込部４０とを有する。【選択図】図５
2017192908.tif 000002
【特許請求の範囲】
【請求項１】
管路内の滞留物を吸引して排出する吸引装置であって、
吸引源と接続され、前記管路内を移動する装置本体と、
前記吸引源と連通して前記装置本体と接続され、管路の下部内面に載置される吸引治具とを備え、
前記吸引治具は、
前記管路の内面に接する面に吸引口が形成されていると共に、内部に前記吸引口と連通する吸引通路が形成された本体部と、
前記本体部に設けられ、前記吸引通路と連通し、開口端が前記吸引口よりも上方に位置する少なくとも１つ以上の空気吸込部とを有することを特徴とする管路の吸引装置。
【請求項２】
前記空気吸込部は、
前記吸引通路の内部圧力が外部圧力よりも所定値以上低いときにのみ開状態となる開閉弁を有することを特徴とする請求項１に記載の管路の吸引装置。
【請求項３】
前記開閉弁は、
管状のボディと、
前記ボディの内側に配置された弁体と、
前記弁体を前記吸引通路と反対側に付勢して前記ボディの内面に設けられた弁座に前記弁体を当接させて前記開閉弁を閉状態とする付勢手段とを備えていることを特徴とする請求項２に記載の管路の吸引装置。
【請求項４】
前記少なくとも１つ以上の空気吸込部の開口面積の合計が、前記吸引通路の最小開口面積の１／２以上であることを特徴とする請求項１〜３のいずれかに記載の管路の吸引装置。
【発明の詳細な説明】
【技術分野】
【０００１】
本発明は、管路内の滞留物を排出する吸引装置に関する。
【背景技術】
【０００２】
従来から、ガス管や水道管等の既設管路において、管路の下部に滞留する水や堆積物等の滞留物を吸引して外部に排出することが行われている。例えば、既設管路の内面には、塗布された防錆剤等の被膜や堆積物などの付着物が存在しており、管路の内面に補修材を貼り付けて補修を行う際に、上記付着物が補修材の接着力低下の原因となるため、このような付着物を管路の内面から除去しておくことが好ましい。その際に、管路の内面に高圧の水を噴射することによって内面を洗浄する方法を採用したときには、その洗浄工程後に、管路の下部に、管路の内面から剥離された付着物を含む水が滞留するため、洗浄工程後に滞留水を速やかに排出することが望ましい。
【０００３】
特許文献１には、管路内に滞留する水を排出する吸引装置が開示されている。この吸引装置は、吸引源に接続され、管路内面を移動する装置本体と、装置本体に接続され、管路の下部内面に載置される吸引体とを備えている。吸引体の下面には吸引口が形成されており、吸引体の内部には吸引口と連通する吸引通路が形成されている。また、吸引体の進行方向前端部には、吸引通路と連通するホース接続部が設けられており、このホース接続部に、装置本体の進行方向後端部に接続された吸引ホースが接続される。この吸引装置では、吸引源の吸引力によって、吸引体の吸引口から管路内に滞留する水を吸引する。
【先行技術文献】
【特許文献】
【０００４】
【特許文献１】特開２０１３‐１５８７５５号公報
【発明の概要】
【発明が解決しようとする課題】
【０００５】
特許文献１の吸引装置を用いる場合、使用状況によっては、吸引源と吸引装置とを接続する吸引ホースがかなり長くなることがある。また、立坑を有する管路においては、地上から吸引を行うために揚程力を要する。この場合、圧力損失が生じ吸引体に作用する吸引力が小さくなる。装置本体の進行方向後端部に設けられた吸引ホースの接続口は、吸引体のホース接続部より上方に位置するため、吸引体に作用する吸引力が小さくなると、装置本体と吸引体とを接続する吸引ホース内と吸引体の吸引通路に水が溜まってしまい、吸引口から水を吸引できなくなってしまう。
【０００６】
そこで、本発明は、管路内に滞留する滞留物を確実に吸引して排出できる吸引装置を提供することを目的とする。
【課題を解決するための手段及び発明の効果】
【０００７】
第１の発明の管路の吸引装置は、管路内の滞留物を吸引して排出する吸引装置であって、吸引源と接続され、前記管路内を移動する装置本体と、前記吸引源と連通して前記装置本体と接続され、管路の下部内面に載置される吸引治具とを備え、前記吸引治具は、前記管路の内面に接する面に吸引口が形成されていると共に、内部に前記吸引口と連通する吸引通路が形成された本体部と、前記本体部に設けられ、前記吸引通路と連通し、開口端が前記吸引口よりも上方に位置する少なくとも１つ以上の空気吸込部とを有することを特徴とする。
【０００８】
この構成によると、吸引治具は、吸引通路に連通する空気吸込部を有するため、吸引源の吸引力によって、管路内の滞留物を吸引口から吸い込む際、管路内の空気を空気吸込部から吸い込むことができる。そのため、吸引治具と装置本体とを接続するホースや吸引通路内に滞留物が充満した状態となるのを防止できる。これにより、たとえ吸引源から吸引治具までの流路が長く、吸引治具に作用する吸引力が小さい場合であっても、管路内の滞留物を吸引口から確実に吸引して排出することができる。
【０００９】
第２の発明の管路の吸引装置は、第１の発明において、前記空気吸込部が、前記吸引通路の内部圧力が外部圧力よりも所定値以上低いときにのみ開状態となる開閉弁を有することを特徴とする。
【００１０】
この構成によると、空気吸込部は、吸引通路の内部圧力が外部圧力よりも所定値以上低いときにのみ、外部と連通する。そのため、吸引通路に空気吸込部から空気だけが吸い込まれて、吸引口から滞留物が吸い込まれない状態となるのを防止できる。また、吸引通路内の滞留物が空気吸込部から外部に漏れ出るのを防止できる。
【００１１】
第３の発明の管路の吸引装置は、第２の発明において、前記開閉弁が、管状のボディと、前記ボディの内側に配置された弁体と、前記弁体を前記吸引通路と反対側に付勢して前記ボディの内面に設けられた弁座に前記弁体を当接させて前記開閉弁を閉状態とする付勢手段とを備えていることを特徴とする。
【００１２】
この構成によると、吸引通路の内部圧力が外部圧力よりも所定値以上低いときには、弁体は付勢手段の付勢力に抗して吸引通路側に引き込まれ、開閉弁は開状態となる。したがって、付勢手段の付勢力を変更することで、開閉弁が開状態に切り換わる内部圧力を調整することができる。
【００１３】
第４の発明の管路の吸引装置は、第１〜第３の発明のいずれかにおいて、前記少なくとも１つ以上の空気吸込部の開口面積の合計が、前記吸引通路の最小開口面積の１／２以上であることを特徴とする。
【００１４】
この構成によると、本体部の吸引通路を通過する滞留物と空気の比率を１対１以上とすることができる。空気の割合が大きいことにより、吸引力によって滞留物をスムーズに搬送することができる。
【図面の簡単な説明】
【００１５】
【図１】本実施形態に係る吸引装置の縦断面図である。
【図２】図１の吸引装置の前面図である。
【図３】吸引治具の前面図である。
【図４】吸引治具の下面図である。
【図５】（ａ）は図３の吸引治具のＡ-Ａ線断面図であって、（ｂ）は図３の吸引治具４のＢ-Ｂ線断面図である。
【発明を実施するための形態】
【００１６】
次に、本発明の実施の形態について説明する。図１は、本実施形態に係る吸引装置の縦断面図である。尚、以下では、図１の左方を前方（吸引時における装置の進行方向）として説明する。また、図２は、図１の吸引装置の前面図である。
【００１７】
後でも説明するが、図１に示すように、本実施形態の吸引装置１は、金属管（例えば、ねずみ鋳鉄管）からなる既設のガス管路Ｐの内面を補修する前工程として、管路Ｐの内面洗浄が行われた後に管路Ｐ内に挿入され、洗浄後に管路Ｐの下部に滞留する滞留水Ｗを吸引して排出する際に使用される。尚、本実施形態では、１００ｍｍ〜７５０ｍｍ程度の管径の既設管路を対象としている。
【００１８】
図１、図２に示すように、吸引装置１は、円筒状の装置本体２と、この装置本体２の外周部に設けられた８つの脚部３と、装置本体２の後端部に吸引ホース１９を介して接続された吸引治具４等を備えている。
【００１９】
円筒状の装置本体２の前端部には、バキュームクリーナーの吸引源６に連結された吸引ホース１８が接続されている。吸引ホース１８の長さは特に限定されないが、長い場合には例えば３００ｍである。また、装置本体２の後端部には、吸引治具４に連結された吸引ホース１９が接続されている。尚、吸引ホース１８、１９は、共に、剛性を有するフレキシブル性保形ホースである。そして、装置本体２の内部には、その前後両端部にそれぞれ接続された２本の吸引ホース１８、１９を連通させる連通管１４が配設されている。また、装置本体２の前端部には、牽引用のワイヤ１５が連結される。
【００２０】
装置本体２の外周部の周方向４等分位置には、脚部３を支持する４つの脚部支持体１０がそれぞれ設けられている。脚部３は、一端部が脚部支持体１０に回動可能に連結された脚本体１１と、この脚本体１１の他端部に回転可能に設けられたローラ１２とを有する。また、１つの脚部支持体１０には、前後２つの脚部３の脚本体１１が支持されている。そして、前側４つの脚部３と後側４つの脚部３とがそれぞれ放射状に配置されることで、円筒状の装置本体２の中心軸線Ｃが管路Ｐの中心に維持され（センタリング）、前側４つのローラ１２と後側４つのローラ１２の、合計８つのローラ１２によって、吸引装置１は管路Ｐ内を走行可能である。
【００２１】
また、８つの脚部３の脚本体１１は、８つのバネ１３によって、管路Ｐの径方向（装置本体２の中心軸線Ｃと直交する方向）の外側にそれぞれ付勢されており、８つのローラ１２はそれぞれ独立して管路Ｐの内面に押し付けられている。これにより、図１に二点鎖線で示すように、管路Ｐ内の一部（例えば、継手部や分岐部等）に段差や障害物がある場合でもそのような段差等を乗り越える一部のローラ１２（図中下側のローラ１２）のみが径方向に移動し、バネ１３によってその段差等が吸収される一方で、他のローラ１２については位置が変更されない。従って、装置本体２の中心軸線Ｃが常に管路Ｐの中心に維持され、走行時の吸引装置１の姿勢が安定する。
【００２２】
次に、吸引治具４について説明する。図３は吸引治具４の前面図、図４は吸引治具４の下面図、図５（ａ）は図３の吸引治具４のＡ-Ａ線断面図であって、図５（ｂ）は図３の吸引治具４のＢ-Ｂ線断面図である。図３〜図５に示すように、吸引治具４は、本体部２０と、排出部３０と、２つの空気吸込部４０とを有する。
【００２３】
本体部２０は、管路Ｐの下部内面に載置される。本体部２０は、鋼などの金属材料によって形成された横長形状の塊体２１と、ゴム製のパッキン２４と、金属製の押さえ板２５とを有する。塊体２１は、比較的重量の大きい物体である。そのため、ワイヤ１５を牽引して、吸引治具４を引きずりながら装置本体２を前方に走行させたときに、吸引治具４の姿勢が安定する。
【００２４】
塊体２１の下面は、管路Ｐの下部内面に沿った曲面（管路Ｐの内面の曲率にほぼ等しい曲率の曲面）に形成されている。また、図４に示すように、塊体２１の下面には横長の吸引口２２が開口している。
【００２５】
また、図５に示すように、塊体２１の下面から前側に連なる面は、前側に向かうほど上方に向かうように傾斜している。これにより、走行時に、管路Ｐの下部に存在する段差や障害物等に吸引治具４がひっかかりにくくなる。
【００２６】
塊体２１の内部には、吸引口２２に連なる吸引通路２３が形成されている。吸引口２２の後縁と吸引通路２３との境界部分は、曲面仕上げ（Ｒ面取り）が施されている。
【００２７】
吸引通路２３は、吸引口２２から上方に延びた幅広室２３ａと、幅広室２３ａから前側に延びた排出室２３ｂおよび２つの空気吸込室２３ｃとを有する。幅広室２３ａの水平断面の形状は、ほぼ一定であって、吸引口２２の形状とほぼ同じである。排出室２３ｂは、幅広室２３ａの幅方向（図３中の左右方向）の中央部とつながっており、円柱状の空間を形成している。また、排出室２３ｂの前端部は、排出部３０と連通している。空気吸込室２３ｃは、排出室２３ｂの幅方向両側において幅広室２３ａとつながっており、直方体状の空間を形成している。また、吸引通路２３は、空気吸込室２３ｃの上端部と幅広室２３ａの上端部との境界付近において、空気吸込部４０と連通している。
【００２８】
パッキン２４と押さえ板２５は、吸引通路２３の後面（吸引口２２の後縁と連なる面）に重ねて配置されており、ボルト２６とナット２７によって塊体２１に固定されている。押さえ板２５の下端部は、塊体２１の下面とほぼ同じ位置であって、パッキン２４の下端部は、塊体２１の下面より下方に突出している。そのため、本体部２０は、塊体２１の下面のうち吸引口２２の前縁部分とパッキン２４の下端部とにおいて、管路Ｐの内面に接触する。パッキン２４の下端部は、吸引口２２の後縁と連なるＲ面に沿って湾曲しつつ管路Ｐの内面に接する。これにより、管路Ｐの下部内面に滞留する水を、パッキン２４で掃き取ることができ、水の取りこぼしを極力減らすことができる。
【００２９】
排出部３０は、塊体２１の前面に一体的に設けられた筒状の部材であって、吸引通路２３の排出室２３ｂと連通している。排出部３０の内径は、ほぼ一定であって、排出室２３ｂの径とほぼ同じである。排出部３０の前端部は、吸引ホース１９を介して装置本体２の後端部と接続される。これにより、吸引源６の吸引力が、図１に示される前側の吸引ホース１８と、装置本体２内の連通管１４と、後側の吸引ホース１９を介して、吸引口２２に作用するようになっている。また、装置本体２は吸引治具４より上方に配置されるため、吸引ホース１９の後側部分（吸引治具４側の部分）は前側部分よりも低い位置に配置される。
【００３０】
２つの空気吸込部４０は、塊体２１の上面に幅方向（図３中の左右方向）に並んで配置される。空気吸込部４０は、塊体２１の上面に一体的に設けられた筒状のねじ込み継手４１と、このねじ込み継手４１に着脱可能に取り付けられた開閉弁４２とで構成されている。
【００３１】
ねじ込み継手４１は、塊体２１の吸引通路２３と連通している。ねじ込み継手４１の外周面にはネジ溝が形成されている。ねじ込み継手４１の内径は、ほぼ一定である。
【００３２】
開閉弁４２は、筒状のボディ４３と、ボディ４３の内側に配置される弁体４４、コイルバネ４５およびバネ受け４６とを有する。
【００３３】
ボディ４３の内面の下部には、ねじ込み継手４１に螺合されるネジ溝が形成されている。バネ受け４６は、略円盤状の部材であって、ボディ４３の内面のネジ溝より上方に形成された段差の上に配置されている。このバネ受け４６には、空気が通過可能な複数の孔が形成されている。コイルバネ４５は、バネ受け４６の上に配置されており、このコイルバネ４５の上には円盤状のゴム製の弁体４４が配置されている。
【００３４】
吸引作業を行っていない通常の状態では、弁体４４はコイルバネ４５に付勢されて、ボディ４３の内面に形成された弁座に当接している。これにより開閉弁４２は閉状態となっている。また、弁体４４より下方の空間の圧力（吸引通路２３の内部圧力）が弁体４４より上方の空間の圧力（外部圧力）より所定値以上低くなったときには、弁体４４がコイルバネ４５の付勢力に抗して下方に引き込まれて、開閉弁４２が開状態に切り換わる。コイルバネ４５の付勢力を変更することで、開閉弁４２が開状態に切り換わる内部圧力を調整することができる。
【００３５】
ねじ込み継手４１の開口面積は、開閉弁４２の開口面積よりも小さい。つまり、空気吸込部４０の開口面積は、ねじ込み継手４１において最小となっている。２つのねじ込み継手４１の開口面積の合計は、排出室２３ｂの開口面積の１／２とほぼ同じである。
【００３６】
次に、上述の吸引装置１を用いた滞留水Ｗの排出工程を含む、管路Ｐの補修方法について説明する。
【００３７】
既設のガス管路Ｐの内面には、防錆剤（例えば、タールエポキシ樹脂）が塗布されていたり、あるいは、長年の使用によって堆積物が付着していたりする。そこで、管路Ｐの補修を行う前に、管路Ｐ内に洗浄装置（図示省略）を挿入し、この洗浄装置を管軸方向に移動させつつ、洗浄装置から洗浄液を管路Ｐの内面に向けて高圧で噴射し、管路Ｐの内面に付着した防錆剤等の付着物を除去する。
【００３８】
尚、洗浄装置の構成は特に限定されないが、例えば、先に説明した吸引装置１と、装置本体２及び脚部３の構成が同一の洗浄装置を用いてもよい。
【００３９】
管路Ｐの内面洗浄が行われた後には、管路Ｐの下部に付着物を含んだ水が滞留するが、この滞留水を放置しておくと、付着物が沈降して管路Ｐの下部内面に残留することになる。そこで、図１に示すように、上述の吸引装置１を管路Ｐ内に挿入し、ワイヤ１５で牽引することによって、装置本体２を管軸方向に移動させて吸引治具４を引きずりながら、吸引源６の吸引力によって吸引口２２から管路Ｐ内の水Ｗを吸引する。吸引口２２から吸い込まれた水Ｗは、吸引通路２３を通って排出部３０から吸引ホース１９に流れ込み、吸引装置の連通管１４と吸引ホース１８を通って、吸引源６に吸引されて排出される。
【００４０】
吸引時、吸引治具４の吸引通路２３の内部圧力が外部圧力よりも所定値以上低くなると、開閉弁４２が開状態となり、吸引治具４は、管路Ｐ内の水Ｗを吸引口２２から吸引すると共に、管路Ｐ内の空気を空気吸込部４０から吸い込む。そのため、吸引通路２３と吸引ホース１９の後側部分（下側部分）に水Ｗが充満した状態となるのを防止できる。吸引ホース１８の長さが長い場合、吸引治具４に作用する吸引力が小さくなるが、上述したように、吸引通路２３と吸引ホース１９の後側部分（下側部分）に水Ｗが充満した状態となるのを防止できるため、吸引力が小さくても、管路Ｐ内の水Ｗを吸引口２２から確実に吸引して排出することができる。
【００４１】
また、空気吸込部４０は、吸引通路２３の内部圧力が外部圧力よりも所定値以上低いときにのみ、外部と連通する。そのため、吸引通路２３に空気吸込部４０から空気だけが吸い込まれて、吸引口２２から滞留物が吸い込まれない状態となるのを防止できる。また、吸引通路２３内の水が空気吸込部４０から外部に漏れ出るのを防止できる。
【００４２】
また、２つの空気吸込部４０の最小開口面積の合計は、排出室２３ｂの開口面積（排出部３０の開口面積）の１／２とほぼ同じである。これにより、吸引通路２３を通過する水と空気の比率をほぼ１対１とすることができる。空気の割合が大きいことにより、小さな吸引力であっても水Ｗを吸引源６までスムーズに搬送することができる。
また、吸引する空気の割合が大きすぎると、吸引する水の量が減り効率が悪くなるが、本実施形態では水と空気の割合がほぼ１対１であるため、吸引する水量を確保しつつ、スムーズに水Ｗを吸引することができる。
【００４３】
また、空気吸込部４０は、本体部２０の上面から上方に延びているため、管路Ｐ内の滞留水Ｗの水位が比較的高い場合であっても、空気吸込部４０の開口端（上端）が管路Ｐ内の滞留水Ｗの水面高さより低くなるのを防止でき、空気吸込部４０から水が吸い込まれるのを防止できる。
【００４４】
上記のように、管路Ｐ内の滞留水Ｗを吸引装置１によって吸引し、管路Ｐの外部へ排出した後、管路Ｐ内を乾燥させてからその内面に補修材を貼り付けて補修を行う。
【００４５】
次に、前記実施形態に種々の変更を加えた変更形態について説明する。但し、前記実施形態と同様の構成を有するものについては、同じ符号を付して適宜その説明を省略する。
【００４６】
前記実施形態では、２つの空気吸込部４０の最小開口面積の合計は、排出室２３ｂの開口面積の１／２と同じであるが、これに限定されない。但し、２つの空気吸込部４０の最小開口面積の合計は、排出室２３ｂの開口面積の１／２より大きいことが好ましい。
【００４７】
前記実施形態では、排出室２３ｂは、径が一定であり、開口面積も一定であるが、排出室２３ｂは、径が一定でなくてもよい。この場合、２つの空気吸込部４０の最小開口面積の合計が、排出室２３ｂの最小開口面積の１／２以上となることが好ましい。
【００４８】
前記実施形態では、排出部３０は、内径が一定であり、開口面積も一定であるが、排出部３０は、内径が一定でなくてもよい。排出部３０の最小内径が、排出室２３ｂの最小径よりも小さい場合、２つの空気吸込部４０の最小開口面積の合計が、排出部３０の最小開口面積の１／２以上となることが好ましい。
【００４９】
開閉弁４２の構成は、吸引通路２３の内部圧力が外部圧力よりも所定値以上低いときにのみ開状態となるものであれば、前記実施形態以外の構成であってもよい。また、開閉弁の構成によっては、ねじ込み継手４１の開口面積よりも、開閉弁の最小開口面積の方が小さくなってもよい。
【００５０】
前記実施形態では、空気吸込部４０は、本体部２０の上面から上方に延びるように設けられているが、空気吸込部の配置位置と形状は、空気吸込部の開口端が吸引口２２よりも上方であれば、これ以外であってもよい。但し、空気吸込部の開口端は、本体部２０の上面より上方であることが好ましい。例えば、空気吸込部は、本体部２０の前面または後面から前後方向に延びた後、屈曲して上方に延びていてもよい。
【００５１】
前記実施形態では、空気吸込部４０は、開閉弁４２とねじ込み継手４１で構成されているが、ねじ込み継手４１だけで構成されていてもよい。また、空気吸込部は、外周面にねじ溝を有しない筒状部材だけで構成されていてもよい。また、空気吸込部は、塊体２１に形成された孔だけで構成されていてもよい。
【００５２】
前記実施形態では、空気吸込部４０は、２つ設けられているが、空気吸込部４０の数は１つであっても、３つ以上であってもよい。
【００５３】
前記実施形態では、吸引治具４の本体部２０は、金属材料の塊体２１と、パッキン２４と、押さえ板２５で構成されているが、塊体２１だけで構成されていてもよい。
【００５４】
前記実施形態では、塊体２１は金属材料で形成されているが、例えばＭＣナイロン（登録商標）などの合成樹脂で形成されていてもよい。但し、塊体２１はある程度の重量を要するため、金属材料の方が好ましい。
【００５５】
本発明の吸引装置は、管路Ｐ内の滞留水を排出する場合に限らず、管路Ｐの内面の付着物が掻き取られて管路Ｐの下部に落下し滞留したものや、長期間の管路Ｐの使用によって管路の下部に堆積した堆積物など、固体の滞留物を吸引して外部へ排出する場合にも用いることができる。
【００５６】
前記実施形態は、既設のガス管路内の滞留物排出に本発明を適用した一例であるが、上水道や下水道等の水が流れる管路内の滞留水の排出、あるいは、電気ケーブルや通信ケーブル等が挿通される管路内の堆積物の排出など、ガス管路以外の様々な用途で用いられる管路についても本発明を適用することが可能である。
【符号の説明】
【００５７】
１  吸引装置
２  装置本体
３  脚部
４  吸引治具
６  吸引源
１３  バネ
１９  吸引ホース
２０  本体部
２１  塊体
２２  吸引口
２３  吸引通路
２３ａ  幅広室
２３ｂ  排出室
２３ｃ  空気吸込室
２４  パッキン
２５  押さえ板
３０  排出部
４０  空気吸込部
４１  ねじ込み継手
４２  開閉弁
４３  ボディ
４４  弁体
４５  コイルバネ
４６  バネ受け
Ｐ  管路
【図１】
2017192908.tif 000003
【図２】
2017192908.tif 000004
【図３】
2017192908.tif 000005
【図４】
2017192908.tif 000006
【図５】
2017192908.tif 000007